(57)【要約】【課題】本発明は、より簡単なシステムと構造で、排熱回収を中断せずに伝熱管のクリーニング作業をより完全に行い、省エネルギー効率を向上させることが出来る温排水熱回収システムにおける伝熱管のクリーニング装置及び排熱回収熱交換器を作り出すことを目的とする。【解決手段】温排水の排熱を回収するための排熱回収熱交換器の伝熱管のクリーニング装置において、伝熱管挿通孔を有する掃除板が、前記伝熱管に挿通され且つ一対の板によって挟持され、前記一対の板を移動させることで前記掃除板を伝熱管の長手方向に往復摺動させる駆動装置を備えていることを特徴とする温排水熱回収システムにおける伝熱管クリーニング装置によって上記課題を解決した。【選択図】図４
2013032889.tif 000002
【特許請求の範囲】
【請求項１】
温排水の排熱を回収するための排熱回収熱交換器の伝熱管のクリーニング装置において、伝熱管挿通孔を有する掃除板が、前記伝熱管に挿通され且つ一対の板によって挟持され、前記一対の板を移動させることで前記掃除板を伝熱管の長手方向に往復摺動させる駆動装置を備えていることを特徴とする温排水熱回収システムにおける伝熱管クリーニング装置。
【請求項２】
前記掃除板は伝熱管に沿って摺動する硬質ゴム又はプラスチック製であることを特徴とする、請求項１に記載の伝熱管クリーニング装置。
【請求項３】
前記掃除板は弾力性を有し、１箇所にスリットが設けられていることを特徴とする、請求項１又は２のいずれかに記載の伝熱管クリーニング装置。
【請求項４】
前記掃除板を挟持する前記一対の板の一方を、非緊結状態で保持させることを特徴とする、請求項１〜３のいずれかに記載の伝熱管クリーニング装置。
【請求項５】
前記伝熱管に研磨管を用いることを特徴とする、請求項１〜４のいずれかに記載の伝熱管クリーニング装置。
【請求項６】
請求項１〜５のいずれかに記載の伝熱管クリーニング装置と、伝熱管の周囲に温排水を貯める温水槽と、温水槽に設けられる堰と、を備えており、該堰の最下部に隙間が設けられていることを特徴とする、排熱回収熱交換器。
【請求項７】
前記堰の最下部の隙間に長穴を複数個有する調節板が設けられていることを特徴とする、請求項６に記載の排熱回収熱交換器。
【発明の詳細な説明】
【技術分野】
【０００１】
本発明は、温泉から出る温排水の排熱回収熱交換器の伝熱管の外面に付着したスラッジや芥を除去する新規な温排水熱回収システムにおける伝熱管クリーニング装置に関するものである。
【背景技術】
【０００２】
近年、温泉の温排水の放流による自然界への影響を抑制すると共に、温排水から熱回収を行い省エネルギーに資する目的で、温泉設備などの浴場から排出された温排水の熱を利用して、浴場で用いる洗い湯や上がり湯などに用いる上水の昇温を助ける設備が増加しているが、このような設備では温排水の排熱回収には熱交換器が用いられている。
【０００３】
しかしながら、温排水熱回収用の熱交換器に浴場から排出された温排水を通すと、温排水中に混入している垢や洗剤滓及び毛髪などが伝熱管に付着し伝熱率を降下させるため、熱回収効率が悪くなり省エネルギー効果を低減させることになる。これを防ぐために、温排水熱回収機能を有する温泉施設には通常伝熱管クリーニング装置が設けられ、伝熱管に付着した芥や汚れを定期的に除去するようにしている。
【先行技術文献】
【特許文献】
【０００４】
【特許文献１】特開２００３−１３０４５４号  公報
【特許文献２】特開２００７−３０７８号  公報
【発明の概要】
【発明が解決しようとする課題】
【０００５】
特許文献１に開示されている熱交換器洗浄装置は、管式熱交換器の一端から洗浄ボールを注入し多端までポンプ水圧により移動させ摺動摩擦により伝熱管内部を洗浄する装置であるが、かなりのポンプ水圧が必要であり、伝熱管内の酸化、腐食等によってボールが伝熱管内に詰まってしまう可能性があるうえに、構造が複雑で洗浄作業も簡単ではない。
【０００６】
特許文献２に開示されている熱交換器洗浄装置は、排熱回収熱交換器の伝熱管内の温排水圧力を繰返し変化させる流路切替装置及び伝熱管内に空気を吹き込む装置を設けることにより前記伝熱管内に付着したスラッジを除去する装置であるが、芥や汚れ等の付着した管内にポンプによって送り込まれる温排水は熱交換器の入口・出口の２度にわたって流路切替装置を通らねばならず、装置が複雑でありながら、空気泡と圧力変動による芥や汚れ除去の効果は充分とはなり難い可能性がある。
【０００７】
本発明は、より簡単なシステムと構造で、排熱回収を中断せずに伝熱管のクリーニング作業をより完全に行い、省エネルギー効率を向上させることが出来る温排水熱回収システムにおける伝熱管のクリーニング装置を作り出すことを目的とする。
【課題を解決するための手段】
【０００８】
上記目的を解決するためになされた本発明１は、温排水の排熱を回収するための排熱回収熱交換器の伝熱管のクリーニング装置において、伝熱管挿通孔を有する掃除板が、前記伝熱管に挿通され且つ一対の板によって挟持され、前記一対の板を移動させることで前記掃除板を伝熱管の長手方向に往復摺動させる駆動装置を備えていることを特徴とする。
係る構成によれば、各伝熱管全てに取付けられた掃除板全てを、強力に同時に前方向に押して移動させた後、後方向に引張って移動させ、この往復摺動を自動的且つ定期的に繰り返すことにより伝熱管外面のクリーニングを確実にする効果があると共に、伝熱管クリーニングの結果を容易に目視で確認出来る効果がある。
【０００９】
上記目的を解決するためになされた本発明２は、前記掃除板が伝熱管に沿って摺動する硬質ゴム又はプラスチック製であることを特徴とする。
係る構成によれば、伝熱管外面に付着した芥や汚れを確実に除去出来る効果がある。
【００１０】
上記目的を解決するためになされた本発明３は、前記掃除板が弾力性を有し、１箇所にスリットが設けられていることを特徴とする。
係る構成によれば、前記掃除板が磨耗又は損耗した時に、排熱回収を中断すること無く人手により簡単に取替えることを可能とする効果がある。
【００１１】
上記目的を解決するためになされた本発明４は、前記掃除板を挟持する前記一対の板の一方を、非緊結状態で保持させることを特徴とする。
係る構成によれば、前記掃除板を取替える際に、ボルト・ナットを緩めることなく前記一対の板の一方を、上に引上げるだけで掃除板の取替え作業に掛かれる効果がある。
【００１２】
上記目的を解決するためになされた本発明５は、前記伝熱管に研磨管を用いることを特徴とする。
係る構成によれば、伝熱管外面に付着する芥や汚れが少なくなると共に、付着した芥や汚れが除去され易くなる効果がある。
【００１３】
上記目的を解決するためになされた本発明６は、前記伝熱管クリーニング装置と、伝熱管の周囲に温排水を貯める温水槽と、温水槽に設けられる堰と、を備えており、該堰の最下部に隙間が設けられていることを特徴とする。
係る構成によれば、擦り取られた芥や汚れの内、排水より重いものは上記隙間より排水と共に流れ出し、排水より軽いものは上記堰の上を排水と共に溢れて流れ出ると共に、温排水の熱を上水に吸収する熱交換が滞りなく行われる効果がある。更に、前記排熱回収熱交換器の入口と出口間の温排水の差圧を低く抑えることを可能とし、温排水ポンプを用いることなく排熱回収を行うことを可能とし、省エネルギー効率を上げる効果がある。
【００１４】
上記目的を解決するためになされた本発明７は、前記温水槽に設けられた堰の最下部の隙間に長穴を複数個有する調節板が設けられていることを特徴とする。    
係る構成によれば、調節板の取り付け位置の変更を、長穴を締め付けるボルト・ナットの位置を変えることにより行い、前記隙間より流出する排水量を調節することを可能とし、底部に落ちた芥や汚れを適切に流出させ得る効果がある。
【発明の効果】
【００１５】
本発明１によれば、各伝熱管全てに取付けられた掃除板全てを、強力に同時に前方向に押して移動させた後、後方向に引張って移動させ、この往復摺動を自動的且つ定期的に繰り返すことにより伝熱管外面のクリーニングを確実にする効果があると共に、伝熱管クリーニングの結果を容易に目視で確認出来る効果がある。
【００１６】
本発明２によれば、伝熱管外面に付着した芥や汚れを確実に除去出来る効果がある。
【００１７】
本発明３によれば、前記掃除板が磨耗又は損耗した時に、排熱回収を中断すること無く人手により簡単に取替えることを可能とする効果がある。
【００１８】
本発明４によれば、前記記載の掃除板を取替える際に、ボルト・ナットを緩めることなく抑え板を上に引上げるだけで掃除板の取替え作業に掛かれる効果がある。
【００１９】
本発明５によれば、伝熱管外面に付着する芥や汚れが少なくなると共に、付着した芥や汚れが除去され易くなる効果がある。
【００２０】
本発明６によれば、擦り取られた芥や汚れの内、排水より重いものは上記隙間より排水と共に流れ出し、排水より軽いものは上記堰の上を排水と共に溢れて流れ出ると共に、温排水の熱を上水に吸収する熱交換が滞りなく行われる効果がある。更に、排熱回収熱交換器の入口と出口間の温排水の差圧を低く抑えることを可能とし、温排水ポンプを用いることなく排熱回収を行うことを可能とし、省エネルギー効率を上げる効果がある。
【００２１】
本発明７によれば、前記調節板の取り付け位置の変更を、長穴を締め付けるボルト・ナットの位置を変えることにより行い、前記隙間より流出する排水量を調節することを可能とし、底部に落ちた芥や汚れを適切に流出させ得る効果がある。
【図面の簡単な説明】
【００２２】
【図１】伝熱管クリーニング装置を含む排熱回収システムのフローシートである。
【図２】排熱回収熱交換器の概略図である。
【図３】図２のＡ部詳細図である。
【図４】伝熱管クリーニング装置を示す斜視図である。
【図５】図２のＢ部詳細図である。
【図６】図２のＣ部詳細図である。
【発明を実施するための形態】
【００２３】
以下、本発明の実施の形態を、図１〜図６に基づいて説明する。
【００２４】
図１は、本発明の伝熱管クリーニング装置が組み込まれた温泉温排水の排熱回収システ
ムの構成を示すフローシートである。浴場１に源泉より供給されて来る源泉湯は浴槽２に
貯められ溢れて、複数の温水蛇口３から供給され使用された温水と共に、温排水として浴
場１から流れ出る。浴場１から流れ出た温排水は排水溝又は配管等を通って排熱回収熱交
換器４に流入する。
【００２５】
浴場１と排熱回収熱交換器４の位置関係によっては、温排水は温排水槽１０に貯められ
温排水ポンプ１１で排熱回収熱交換器４に送られるケースもある。
【００２６】
図２は排熱回収熱交換器４の概略図である。
伝熱管クリーニング装置７は伝熱管５に取付けられ、伝熱管５の直管の長手方向を往復移動する。
【００２７】
伝熱管はＵ字管を平面に複数個並べたものを複数段に重ねた形で連結し、両側を伝熱管
サポート４５で支えている。上水入口４３と上水出口４４との連結はユニオン継ぎ手４７を用いている。
【００２８】
堰６は、伝熱管サポート４５の内側に設置している。
【００２９】
伝熱管クリーニング装置７は、堰６と反対側の伝熱管サポート４５の間を移動する。
【００３０】
伝熱管クリーニング装置７の中の支持管７８は、移動をスムースに行わせるために、駆
動装置１２の連結軸の移動方向と正確に一致した方向に取付ける必要があるので、片一方
はフランジ４９で留めるが、もう一方は調整支持管４８を用いて、周方向の１２０度間隔
に配置される３方向からボルトをねじ込んで調整しながら留める。
【００３１】
温水槽４０の内部は堰６によって仕切られ、温排水流入側に温排水が溜まり、その中に
伝熱管５が浸かるように設置されている。流入した温排水は伝熱管５の管壁を通して管内を流れる上水によって冷却され、冷却された排水として堰６上部から溢れ出る。
【００３２】
上記堰６の最下部には隙間が開けてあり、伝熱管５から除去された付着物の芥や汚れの
内、排水より重いものはこの隙間から排水と共に流れ出し、排水より軽いものは堰６の上
部から排水と共に溢れて流れ出る。両者は排熱回収熱交換器４の底部より冷却済みの排水
として流れ出る。
【００３３】
図３は図２のＡ部詳細図である。上記堰６の最下部には、この隙間から流れ出る排水流量を調節する為の調整板６１が取付けられている。堰最下部と調整板が重なる部分には複数個の長穴６２が開けてあり、ボルト・ナット６３で両者を締め付ける上下方向の位置を変更することで流出量を調整し、付着物が溜まらないようにしている。
【００３４】
図１において、上水ポンプ８によって伝熱管５の中を通るように送り込まれた上水は、
伝熱管５の管壁を通して温排水の熱を吸収し、温度を上げて温水ヒーター９に流入し、更に適温まで加温されて浴場１の温水蛇口３に供給される。
【００３５】
図４は、伝熱管クリーニング装置の斜視図である。当板７２と抑え板７３によって一対の板を構成しており、掃除板７１を挟持する。当板７２は、当横板７２１、当縦板７２２、連結板７２３からなり、当横板７２１は当縦板７２２を繋ぐ役目を持ち、当縦板７２２は掃除板７１を支えて押して移動させる役目を持つ。
【００３６】
当板７２と一体となっている当板支持板７４を、それと一体になっている滑り板７５を
支持管７７に乗せることで、掃除板７１を取付ける準備が出来る。
【００３７】
掃除板７１を全ての伝熱管５に取付ける。
【００３８】
掃除板７１は中央に挿通孔７１２が開けられた数ミリメートル厚さのプラスチック又は
硬質ゴム製の円板叉は六角板であり、挿通管７１２には伝熱管５が挿通し、掃除板７１を摺動させることにより、伝熱管６に付着した芥や汚れを掻き落す。
【００３９】
１本のスリット７１１が設けられている掃除板７１の場合は、掃除板材質の持つ弾力性
を利用して、人手で捻ることにより、このスリット７１１の部分の隙間を拡大させて、伝熱管５から取外しが可能であり、且つ取付けも同様に可能となる。
【００４０】
掃除板には、スリット７１１が設けられていない掃除板もあるが、これ等を用いる場合には各伝熱管の一端にユニオン継ぎ手を取付けておき、掃除板の取付け・取外しの際には、これらのユニオン継ぎ手を取り外して行う。この種の掃除板には、スリットが設けられていない円板又は６角板で挿通孔の直径が伝熱管外径と同じであるものと、挿通孔の直径を伝熱管外径より０．５ｍｍ程度細くしてその周囲に複数本の長さ５〜１０ｍｍ程度の短いスリットを設けたものがある。
【００４１】
抑え板７３は、抑え横板７３１及び抑え縦板７３２からなり、抑え横板７３１は抑え縦
板７３２を繋ぐ役目を持ち、抑え縦板７３２は掃除板７１を当縦板７２２との間に挟みこみ、引っ張られて動く時に掃除板７１を支えて押して行く役目を持っている。
【００４２】
図５は、図２のＢ部詳細図である。伝熱管５に伝熱管挿通孔７１２を挿通された掃除板７１が、当縦板７２２と抑え縦板３２の２枚づつに挟持されているところを図示している。
【００４３】
図４において、当横板７２１と抑え横板７３１とをボルト・ナット７６で繋ぐために、
それぞれに複数個の当切欠き７７１と抑え切欠き７７２を設けてボルト・ナット７６で留めているが、当横板７２１側のナットは固く締めるが、抑え切欠き７７２側はボルトの頭があるだけで非緊結状態で保持させ、当横板７３１とこのボルトの頭の間のボルト軸に抑え板７３をぶら下げるだけにしている。これは掃除板７１を取替える際に、抑え板７３を上側に引抜く作業を簡単にするためである。
【００４４】
図６は、図２のＣ部詳細図である。駆動装置１２を当板７２に連結し、クリーニング開始・停止の時間を設定する。この連結は、図６に示すように、当縦板７２２の中央に位置する２本を繋ぐように四角形の連結板７２３を溶接しているが、この連結版７２３の中央に穴を開け、駆動装置１２から出ている駆動装置軸１２１のネジを切った先端を通して、ナット１２２で締め付けて留めている。
【００４５】
駆動装置としては、エアーシリンダー又は電動機等の駆動装置を用いる。
【００４６】
駆動装置は、駆動装置サポート４６の上に設置されている。
【００４７】
芥や汚れが溜まると想定される時点で、クリーニング装置が摺動を開始し、伝熱管長手
方向のクリーニング範囲の端から端まで数回往復し、クリーニングを行った後停止する。この定期的摺動は、駆動装置に組み込まれた計器により自動的に制御される。
【００４８】
掃除板の中央穴が使用に耐えない程磨耗或は損壊してきた時に、排熱回収を中断するこ
となく、新しい掃除板に人手で取り替える。
【実施例】
【００４９】
長野県上山田温泉温排水を冷却し且つ熱回収するために製作された排熱回収熱交換器、
直管部長さ１ｍの２０ＡＳＵＳ３０４Ｌ管２０本が、水平方向に５本、上下方向に４本セットされたものに、本伝熱管クリーニング装置を取付けている。掃除板としては厚さ３ｍｍのテフロン（登録商標）シートを用いている。掃除板取外し、取付け用のユニオン継ぎ手が各伝熱管に付いている。実質移動距離は７６０ｍｍである。駆動装置としては、ＳＭＣ社製エアーシリンダーＣＤＧ１ＬＮ８０−８３０Ｊ−Ｋ５９Ｗを用いている。２０１１年４月２０日よりの運転実績として、垢や洗剤粕、毛髪等芥や汚れを除去する効果が充分上がると共に、排熱回収の効果も上がっている。
【産業上の利用可能性】
【００５０】
商業用の温泉の排熱回収熱交換器の伝熱管の汚れの除去を簡便、確実に行い、掃除板の
取替えも排熱回収を停止することなく行えるようにする為に発明されたものであるが、温泉以外の浴場の温排水からの排熱回収及び冷却は勿論、その他の産業用の温排水、温廃液からの排熱回収及び冷却に用いる排熱回収熱交換器の伝熱管の汚れの除去に利用することが可能である。
【符号の説明】
【００５１】
１  浴場
２  浴槽
３  温水蛇口
４  排熱回収熱交換器
４０  温水槽
４１  温排水入口  
４２  温排水出口      
４３  上水入口  
４４  上水出口
４５  伝熱管サポート  
４６  駆動装置サポート  
４７  ユニオン継ぎ手
４８  調整支持管  
４９  フランジ
５  伝熱管
６  堰  
６１  調整板  
６２  長穴  
６３  ボルト・ナット
７  伝熱管クリーニング装置
７１  掃除板  ７１１スリット  
７２  当板    ７２１当横板    ７２２当縦板  ７２３連結板  
７３  抑え板  ７３１抑え横板  ７３２抑え縦板  
７４  当板支持板  
７５  滑り板  
７６  ボルト・ナット  
７７  切欠き  ７７１当切欠き  ７７２抑え切欠き
７８  支持管  
８  上水ポンプ
９  上水ヒーター
１０  温排水槽
１１  温排水ポンプ
１２  駆動装置  １２１駆動装置軸  １２２ナット
【図１】
2013032889.tif 000003
【図２】
2013032889.tif 000004
【図３】
2013032889.tif 000005
【図４】
2013032889.tif 000006
【図５】
2013032889.tif 000007
【図６】
2013032889.tif 000008
【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
温排水の排熱を回収するための排熱回収熱交換器の伝熱管のクリーニング装置において、中央に伝熱管挿通孔を有する掃除板が、前記伝熱管に挿通され且つ一対の板によって挟持されており、前記掃除板が前記伝熱管に沿って摺動する硬質ゴム又はプラスチック製であり、弾力性を有し一箇所にスリットが設けられており、前記一対の板は抑え縦板と当縦板とからなり、前記抑え縦板と前記当縦板との間には挟持された前記掃除板の厚みよりも大きい寸法を有するスペースが設けられており、前記一対の板を移動させることで前記掃除板を前記伝熱管の長手方向に往復摺動させる駆動装置を備えていることを特徴とする温排水熱回収システムにおける伝熱管クリーニング装置。
【請求項２】
前記掃除板を挟持する前記一対の板の一方を、非緊結状態で他方の板に保持させることを特徴とする、請求項１に記載の伝熱管クリーニング装置。
【請求項３】
前記伝熱管に研磨管を用いることを特徴とする、請求項１又は２のいずれかに記載の伝熱管クリーニング装置。
【請求項４】
請求項１〜３のいずれかに記載の伝熱管クリーニング装置と、前記伝熱管の周囲に温排水を貯める温水槽と、前記温水槽に設けられる堰と、を備えており、該堰の最下部には排水より重い芥や汚れを流出させる隙間が設けられ、該隙間よりの排水流出量を調節する為の長穴を複数個有する調節板が設けられていることを特徴とする、排熱回収熱交換器。
【手続補正２】
【補正対象書類名】明細書
【補正対象項目名】０００８
【補正方法】変更
【補正の内容】
【０００８】上記目的を解決するためになされた本発明１は、温排水の排熱を回収するための排熱回収熱交換器の伝熱管のクリーニング装置において、中央に伝熱管挿通孔を有する掃除板が、前記伝熱管に挿通され且つ一対の板によって挟持され、前記一対の板を移動させることで前記掃除板を前記伝熱管の長手方向に往復摺動させる駆動装置を備えており、前記掃除板が前記伝熱管に沿って摺動する硬質ゴム又はプラスチック製であり、前記掃除板が弾力性を有し、１箇所にスリットが設けられており、前記一対の板は抑え縦板と当縦板からなり、前記抑え縦板と前記当縦板との間には挟持された前記掃除板の厚みよりも大きい寸法を有するスペースが設けられていることを特徴とする。
係る構成によれば、各伝熱管全てに取付けられた掃除板全てを、強力に同時に前方向に押して移動させた後、後方向に引張って移動させ、この往復摺動を自動的且つ定期的に繰り返すことにより前記伝熱管外面のクリーニングを確実にする効果があると共に、前記伝熱管クリーニングの結果を容易に目視で確認出来る効果があり、前記伝熱管外面に付着した芥や汚れを確実に除去出来る効果があり、前記掃除板が磨耗又は損耗した時に、排熱回収を中断すること無く人手により簡単に取替えることを可能とする効果がある。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】上記目的を解決するためになされた本発明２は、前記掃除板を挟持する前記一対の板の一方を、非緊結状態で保持させることを特徴とする。
係る構成によれば、前記掃除板を取替える際に、ボルト・ナットを緩めることなく前記一対の板の一方を、上に引上げるだけで掃除板の取替え作業に掛かれる効果がある。
【手続補正６】
【補正対象書類名】明細書
【補正対象項目名】００１２
【補正方法】変更
【補正の内容】
【００１２】上記目的を解決するためになされた本発明３は、前記伝熱管に研磨管を用いることを特徴とする。
係る構成によれば、伝熱管外面に付着する芥や汚れが少なくなると共に、付着した芥や汚れが除去され易くなる効果がある。
【手続補正７】
【補正対象書類名】明細書
【補正対象項目名】００１３
【補正方法】変更
【補正の内容】
【００１３】上記目的を解決するためになされた本発明４は、前記伝熱管クリーニング装置と、前記伝熱管の周囲に温排水を溜める温水槽と、前記温水槽に設けられる堰と、を備えており、該堰の最下部には排水より重い芥や汚れを流出させる隙間が設けられており、前記温水槽に設けられた堰の最下部の隙間に、該隙間よりの排水流出量を調節する為の長穴を複数個有する調節板が設けられていることを特徴とする。
係る構成によれば、擦り取られた芥や汚れの内、排水より重いものは上記隙間より排水と共に流れ出し、排水より軽いものは上記堰の上を排水と共に溢れて流れ出ると共に、温排水の熱を上水に吸収する熱交換が滞りなく行われる効果がある。更に、前記排熱回収熱交換器の入口と出口間の温排水の差圧を低く抑えることを可能とし、温排水ポンプを用いることなく排熱回収を行うことを可能とし、省エネルギー効率を上げる効果がある。又、前記調節板の取り付け位置の変更を、長穴を締め付けるボルト・ナットの位置を変えることにより行い、前記隙間より流出する排水量を調節することを可能とし、底部に落ちた芥や汚れを適切に流出させ得る効果がある。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】本発明１によれば、各伝熱管全てに取付けられた掃除板全てを、強力に同時に前方向に押して移動させた後、後方向に引張って移動させ、この往復摺動を自動的且つ定期的に繰り返すことにより前記伝熱管外面のクリーニングを確実にする効果があると共に、伝熱管クリーニングの結果を容易に目視で確認出来る効果があり、前記伝熱管外面に付着した芥や汚れを確実に除去出来る効果があり、前記掃除板が磨耗又は損耗した時に、排熱回収を中断すること無く人手により簡単に取替えることを可能とする効果がある。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】本発明２によれば、前記記載の掃除板を取替える際に、ボルト・ナットを緩めることなく抑え板を上に引上げるだけで掃除板の取替え作業に掛かれる効果がある。
【手続補正１３】
【補正対象書類名】明細書
【補正対象項目名】００１９
【補正方法】変更
【補正の内容】
【００１９】本発明３によれば、伝熱管外面に付着する芥や汚れが少なくなると共に、付着した芥や汚れが除去され易くなる効果がある。
【手続補正１４】
【補正対象書類名】明細書
【補正対象項目名】００２０
【補正方法】変更
【補正の内容】
【００２０】本発明４によれば、擦り取られた芥や汚れの内、排水より重いものは上記隙間より排水と共に流れ出し、排水より軽いものは上記堰の上を排水と共に溢れて流れ出ると共に、温排水の熱を上水に吸収する熱交換が滞りなく行われる効果がある。更に、排熱回収熱交換器の入口と出口間の温排水の差圧を低く抑えることを可能とし、温排水ポンプを用いることなく排熱回収を行うことを可能とし、省エネルギー効率を上げる効果がある。又、前記調節板の取り付け位置の変更を、長穴を締め付けるボルト・ナットの位置を変えることにより行い、前記隙間より流出する排水量を調節することを可能とし、底部に落ちた芥や汚れを適切に流出させ得る効果がある。
【手続補正１５】
【補正対象書類名】明細書
【補正対象項目名】００２１
【補正方法】削除
【補正の内容】
【手続補正１６】
【補正対象書類名】明細書
【補正対象項目名】００３３
【補正方法】変更
【補正の内容】
【００３３】図３は図２のＡ部詳細図である。上記堰６の最下部には、この隙間から流れ出る排水流量を調節する為の調節板６１が取付けられている。堰最下部と調節板６１が重なる部分には複数個の長穴６２が開けてあり、ボルト・ナット６３で両者を締め付ける上下方向の位置を変更することで流出量を調節し、底部に落ちた芥や汚れが溜まらないようにしている。
【手続補正１７】
【補正対象書類名】明細書
【補正対象項目名】００３８
【補正方法】変更
【補正の内容】
【００３８】掃除板７１は中央に伝熱管挿通孔７１２が開けられた数ミリメートル厚さのプラスチック又は硬質ゴム製の円板又は六角板であり、伝熱管挿通孔７１２には伝熱管５が挿通し、掃除板７１を摺動させることにより、伝熱管６に付着した芥や汚れを掻き落す。
【手続補正１８】
【補正対象書類名】明細書
【補正対象項目名】００５１
【補正方法】変更
【補正の内容】
【００５１】    １  浴場
２  浴槽
３  温水蛇口
４  排熱回収熱交換器
４０  温水槽
４１  温排水入口
４２  温排水出口
４３  上水入口
４４  上水出口
４５  伝熱管サポート
４６  駆動装置サポート
４７  ユニオン継ぎ手
４８  調整支持管
４９  フランジ
５  伝熱管
６  堰
６１  調節板
６２  長穴
６３  ボルト・ナット
７  伝熱管クリーニング装置
７１  掃除板  ７１１スリット  ７１２伝熱管挿通孔
７２  当板    ７２１当横板    ７２２当縦板    ７２３連結板
７３  抑え板  ７３１抑え横板  ７３２抑え縦板
７４  当板支持板
７５  滑り板
７６  ボルト・ナット
７７  切欠き  ７７１当切欠き  ７７２抑え切欠き
７８  支持管
８  上水ポンプ
９  上水ヒーター
１０  温排水槽
１１  温排水ポンプ
１２  駆動装置  １２１駆動装置軸  １２２ナット
【手続補正１９】
【補正対象書類名】図面
【補正対象項目名】図３
【補正方法】変更
【補正の内容】
【図３】
2013032889.tif 000009